(57)【要約】【課題】  空気の流路の切り替え状況によって、空気の清浄効果が低減することを抑制する送風装置を提供する。【解決手段】  浴室換気乾燥暖房機１Ａは、浴室内の空気を吸い込んで吹き出す循環換気ファン２Ａと、循環換気ファン２Ａで吸い込んだ空気の流路を切り替える風路切替ダンパ６Ａと、循環換気ファン２Ａで浴室内に吹き出される空気を清浄する空気清浄因子を放出するイオン発生器１０とを備える。イオン発生器１０は、風路切替ダンパ６Ａに設けられる。【選択図】    図１
2018173253.tif 000002
【特許請求の範囲】
【請求項１】
室内の空気を吸い込んで吹き出す送風手段と、
前記送風手段で吸い込んだ空気の流路を切り替える可動部材と、
前記送風手段で前記室内に吹き出される空気を清浄する空気清浄因子を放出する空気清浄因子発生器とを備え、
前記空気清浄因子発生器を、前記可動部材に設けた
ことを特徴とする送風装置。
【請求項２】
前記空気清浄因子発生器は、前記空気清浄因子を放出する側の面が、空気を室内へ吹き出す吹出口に向かうように配置される
ことを特徴とする請求項１に記載の送風装置。
【請求項３】
前記可動部材は、
前記送風手段で前記室内から吸い込んだ空気の送風方向を、少なくとも前記吹出口に向かう方向と、空気を室外に排気する換気吹出口に向かう方向とに分流するダンパである
ことを特徴とする請求項２に記載の送風装置。
【請求項４】
前記空気清浄因子発生器は、
前記可動部材の、前記室内から吸い込んだ空気の送風方向に対して下流側に設けられる
ことを特徴とする請求項１〜請求項３の何れか１項に記載の送風装置。
【請求項５】
前記可動部材は、前記送風手段で吸い込んだ空気の流れを誘導する整流部材を有し、
前記整流部材は、前記空気清浄因子発生器を覆うように配置される
ことを特徴とする請求項１〜請求項４の何れか１項に記載の送風装置。
【発明の詳細な説明】
【技術分野】
【０００１】
本発明は、浴室等に設置され、温風あるいは室温に応じた空気を吹き出す送風装置に関する。
【背景技術】
【０００２】
従来から、浴室等の天井に設置され、温風あるいは室温に応じた空気を吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、浴室内の空気が吸い込まれる吸込口と、浴室内に空気を吹き出す吹出口と、吸込口から吸い込んだ空気を室外に排気する換気吹出口と、吹出口と換気吹出口との間で空気の流路を切り替えるダンパを備え、吸込口と吹出口が浴室内に面するように、浴室の天井に設置される。特許文献１には、浴室内の空気を清浄するために、イオンを発生させて浴室に供給する浴室換気乾燥暖房機が記載されている。
【先行技術文献】
【特許文献】
【０００４】
【特許文献１】特開２０１５−１４８３４７号公報
【発明の概要】
【発明が解決しようとする課題】
【０００５】
従来の浴室換気乾燥暖房機では、空気を清浄するためにイオン等の空気清浄因子を発生させても、空気の流路の切り替え状況によってはその空気清浄因子が換気吹出口から浴室の外に排出され、浴室内の空気の清浄効果が低くなってしまうという問題があった。
【０００６】
本発明は、このような課題を解決するためになされたもので、空気の流路の切り替え状況によって空気の清浄効果が低減することを抑制する送風装置を提供することを目的とする。
【課題を解決するための手段】
【０００７】
上述した課題を解決するため、本発明は、室内の空気を吸い込んで吹き出す送風手段と、送風手段で吸い込んだ空気の流路を切り替える可動部材と、送風手段で室内に吹き出される空気を清浄する空気清浄因子を放出する空気清浄因子発生器とを備え、空気清浄因子発生器を、可動部材に設けたことを特徴とする送風装置である。
【０００８】
本発明では、可動部材に空気清浄因子発生器が設けられるため、可動部材を動かしても、送風手段で室内に吹き出される空気に向けて、空気清浄因子発生器が空気清浄因子を放出する。
【発明の効果】
【０００９】
本発明では、可動部材を動かしても、送風手段で室内に吹き出される空気の清浄効果を維持し続けることができる。
【図面の簡単な説明】
【００１０】
【図１】本実施の形態の浴室換気乾燥暖房機の一例を示す構成図である。
【図２】本実施の形態の浴室換気乾燥暖房機の一例を示す構成図である。
【図３】本実施の形態の浴室換気乾燥暖房機の一例を示す構成図である。
【図４】本実施の形態の浴室換気乾燥暖房機の設置例を示す構成図である。
【図５】本実施の形態の浴室換気乾燥暖房機の制御機能例を示すブロック図である。
【図６】本実施の形態の浴室換気乾燥暖房機における風路切替ダンパの動作を示す説明図である。
【図７】本実施の形態の浴室換気乾燥暖房機における風路切替ダンパの動作を示す説明図である。
【図８】本実施の形態の浴室換気乾燥暖房機における風路切替ダンパの動作を示す説明図である。
【図９】本実施の形態の浴室換気乾燥暖房機における浴室内の空気の流れを示す説明図である。
【図１０】本実施の形態の風路切替ダンパの変形例を示す構成図である。
【発明を実施するための形態】
【００１１】
以下、図面を参照して、本発明の送風装置としての浴室換気乾燥暖房機の実施の形態について説明する。
【００１２】
＜本実施の形態の浴室換気乾燥暖房機の構成例＞
図１〜図３は、本実施の形態の浴室換気乾燥暖房機の一例を示す構成図で、図１は、浴室換気乾燥暖房機の内部構成を示す側面図、図２は、下面側から見た平面図である。また、図３はフロントパネルを取り付けた状態の平面図である。図４は、本実施の形態の浴室換気乾燥暖房機の設置例を示す構成図である。図５は、本実施の形態の浴室換気乾燥暖房機の制御機能の一例を示すブロック図である。
【００１３】
本実施の形態の浴室換気乾燥暖房機１Ａは、循環換気ファン２Ａを有した本体部３Ａが、フロントパネル４Ａを露出させた形態で、浴室１００の天井に取り付けられる。
【００１４】
浴室換気乾燥暖房機１Ａは、空気を吸い込んで吹き出す送風手段としての循環換気ファン２Ａによって浴室１００内の空気が吸い込まれる循環換気吸込口２０Ａと、ヒータ５を有し、ヒータ５が駆動されることで温風、ヒータ５が非駆動で浴室１００内の室温に応じた送風が吹き出される第１の吹出口２１Ａと、浴室１００内の空気を攪拌する送風が吹き出される第２の吹出口２２Ａを備える。
【００１５】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、第１の吹出口２１Ａ及び第２の吹出口２２Ａと、換気吹出口２３Ａとの間で空気の流路（以下、風路という）を切り替える可動部材としての風路切替ダンパ６Ａを備える。浴室換気乾燥暖房機１Ａでは、浴室１００内に吹き出す空気を清浄する空気清浄因子を放出する空気清浄因子発生器を、風路切替ダンパ６Ａに備える。
【００１６】
風路切替ダンパ６Ａは、浴室１００内に空気が吹き出される吹出口と連通する風路を形成する。例えば、風路切替ダンパ６Ａが第１の吹出口２１Ａに連通する風路を形成する場合、空気清浄因子発生器は、第１の吹出口２１Ａから浴室１００内に吹き出される空気を清浄する。また、例えば、風路切替ダンパ６Ａが第１の吹出口２１Ａと第２の吹出口２２Ａとに連通する風路を形成する場合、空気清浄因子発生器は、第１の吹出口２１Ａと第２の吹出口２２Ａから浴室１００内に吹き出される空気を清浄する。
【００１７】
すなわち、風路切替ダンパ６Ａを動かして風路を切り替えても、浴室１００内に吹き出される空気に向けて空気清浄因子発生器が空気清浄因子を放出するため、循環換気ファン２Ａで浴室１００内に吹き出される空気の清浄効果を維持し続けることができる。
【００１８】
以下に、浴室換気乾燥暖房機１Ａの詳細について説明する。循環換気ファン２Ａは、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、内側から外周側へと遠心方向に吹き出される空気の流れを発生させる。
【００１９】
循環換気ファンケース２７Ａは、羽根車２５Ａの外周に沿った円形の部位と、羽根車２５Ａの接線方向に沿った部位を組み合わせた形状で、羽根車２５Ａの遠心方向に吹き出される空気を整流して、矢印Ａ１に示すように、羽根車２５Ａの接線方向に沿って吹き出される空気の流れを発生させる。
【００２０】
循環換気ファン２Ａは、浴室換気乾燥暖房機１Ａが所定の設置場所である浴室の天井に設置された状態で、羽根車２５Ａの回転軸の向きが上下方向に沿った配置で構成される。
【００２１】
これにより、循環換気ファン２Ａは、羽根車２５Ａの回転軸に沿った下方から吸い込んだ空気を、羽根車２５Ａの接線方向に吹き出す吹出風路２８Ａが、循環換気ファンケース２７Ａにより形成される。
【００２２】
循環換気ファン２Ａは、循環換気ファンケース２７Ａの下面に、空気が吸い込まれる循環換気吸込口２０Ａを備える。また、循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される第１の吹出口２１Ａを備える。
【００２３】
更に、循環換気ファン２Ａは、循環換気ファンケース２７Ａの下面に、浴室１００内を攪拌する空気が吹き出される第２の吹出口２２Ａを備える。また、循環換気ファン２Ａは、循環換気ファンケース２７Ａの側面に、室外へ空気が吹き出される換気吹出口２３Ａを備える。
【００２４】
循環換気吸込口２０Ａは、羽根車２５Ａの回転軸に沿った下方に、ベルマウスと称される円形の開口を設けて構成される。第１の吹出口２１Ａは、循環換気ファンケース２７Ａによる空気の吹出方向に沿った辺を短辺とした長方形の開口を、吹出風路２８Ａの下面に設けて構成される。
【００２５】
第２の吹出口２２Ａは、循環換気ファンケース２７Ａによる空気の吹出方向に沿った辺を短辺とした長方形の開口を、吹出風路２８Ａの下面において、第１の吹出口２１Ａに対して循環換気吸込口２０Ａの反対側に設けて構成される。
【００２６】
循環換気ファンケース２７Ａで構成される吹出風路２８Ａは、第１の吹出口２１Ａ及び第２の吹出口２２Ａが設けられる部位で広げられ、換気吹出口２３Ａが設けられる部位で狭められる。第１の吹出口２１Ａと第２の吹出口２２Ａは、循環換気ファンケース２７Ａによる空気の吹出方向に沿った辺に対して交差する長辺が、本体部３Ａの幅方向の長さに合わせられる。
【００２７】
第１の吹出口２１Ａと第２の吹出口２２Ａは、循環換気ファンケース２７Ａの下面に設けられた風路形成枠体５０Ａで構成される。第１の吹出口２１Ａと第２の吹出口２２Ａは、風路形成枠体５０Ａの内側に設けられる仕切り部材５１Ａにより仕切られ、第１の吹出口２１Ａから吹き出される空気が通る加熱空気吹出風路と、第２の吹出口２２Ａから吹き出される空気が通る攪拌空気吹出風路が形成される。
【００２８】
風路切替ダンパ６Ａは、ダンパモータ６４Ａの駆動力が伝達され、軸６０Ａを支点に回転する。この回転により、風路切替ダンパ６Ａは、図１に実線で示す第１の位置である循環位置と、破線で示す第２の位置である循環換気位置と、一点鎖線で示す第３の位置である換気位置とに変位して、第１の吹出口２１Ａ及び第２の吹出口２２Ａと、換気吹出口２３Ａとの開閉動作を行う。
【００２９】
風路切替ダンパ６Ａは、回転による開閉動作の軸６０Ａを設ける。軸６０Ａは、仕切り部材５１Ａで構成される第１の吹出口２１Ａと第２の吹出口２２Ａとの分岐部５２Ａより、空気の流れる方向に対して上流側に、分岐部５２Ａから所定の距離を開けて設けられる。また、軸６０Ａは、換気吹出口２３Ａの下端の高さの近傍付近に設けられる。これにより、風路切替ダンパ６Ａが循環換気位置及び換気位置にあるとき、換気吹出口２３Ａと連通する風路への風路切替ダンパ６Ａの突出量が少なくなり、換気吹出口２３Ａと連通する風路での通気抵抗が低減される。
【００３０】
風路切替ダンパ６Ａは、空気の流れる方向に対して軸６０Ａより上流側の部位が、軸６０Ａを支点とした回転動作で、第１の吹出口２１Ａと換気吹出口２３Ａとを開閉する方向へ変位する。また、風路切替ダンパ６Ａは、空気の流れる方向に対して軸６０Ａより下流側の部位が、軸６０Ａを支点とした回転動作で、第２の吹出口２２Ａを開閉する方向へ変位する。
【００３１】
これにより、風路切替ダンパ６Ａは、空気の流れる方向に対して軸６０Ａから上流側に延在する部位で、主に第１の吹出口２１Ａと換気吹出口２３Ａとの間で風路を切り替えると共に、換気吹出口２３Ａの開度を切り替える主風路切替部６１Ａが構成される。また、風路切替ダンパ６Ａは、空気の流れる方向に対して軸６０Ａから下流側に延在する部位で、主に第２の吹出口２２Ａを開閉すると共に、内側の面で、風路切替ダンパ６Ａの開度に応じて第１の吹出口２１Ａへの風路、第１の吹出口２１Ａ及び第２の吹出口２２Ａへの風路が形成され、外側の面で、換気吹出口２３Ａへの風路が形成される副風路切替部６２Ａが構成される。更に、風路切替ダンパ６Ａは、副風路切替部６２Ａの先端側に、軸６０Ａを支点とした回転動作の方向に沿って延在し、換気吹出口２３Ａに対して第２の吹出口２２Ａを塞ぐ逆流防止部６３Ａが設けられる。
【００３２】
浴室換気乾燥暖房機１Ａは、浴室１００内に吹き出す空気を清浄する空気清浄因子発生器の一例としてのイオン発生器１０を、風路切替ダンパ６Ａに備える。イオン発生器１０は、正イオンと負イオンの両方あるいは正イオンまたは負イオンの少なくとも一方を含むイオン等の空気清浄因子を放出する。イオン発生器１０は、風路切替ダンパ６Ａを循環位置または循環換気位置とすると、浴室１００内に吹き出される空気に向けて、空気清浄因子を放出する側の面である放出面１０Ａが露出する。
【００３３】
正イオンと負イオンの発生の原理は、コロナ放電により空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００３４】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００３５】
これにより、浴室換気乾燥暖房機１Ａで循環換気ファン２Ａの運転と連動させて略同数の正イオンと負イオンを発生させ、略同数の正イオンと負イオンを含む空気を送風することで、循環する空気に含まれる浮遊細菌と浴室の空気中の浮遊細菌の双方を除去して、カビの発生等を抑えることができる。なお、イオン発生器１０によるイオンの発生は、正イオンのみや負イオンのみでもよく、コロナ放電ではなく、他の方法でもよい。更に、循環する空気に含まれる浮遊細菌と浴室の空気中の浮遊細菌の双方を除去する手段として、イオンではなく、他の空気処理手段であってもよい。また、空気清浄因子発生器は、銀イオン、オゾン、脱臭及び除菌を行う薬剤、保湿効果を促す薬剤等を噴霧させる噴霧手段等を用いても良く、空気中の浮遊細菌や衣類等に付着した細菌の増殖を抑制するものや、アレル物質や有害物質を分解するもの、細菌やウイルスを除去するもの、消臭・脱臭効果のあるもの、また、保湿効果を持った機能因子を放出するようなもの等、空気に特定の機能を付与する空気処理手段であれば、如何なる形態のものであってもよい。
【００３６】
風路切替ダンパ６Ａには、イオン発生器１０を覆う整流部材としてのカバー１０Ｂが設けられる。カバー１０Ｂは、イオン発生器１０の、風路切替ダンパ６Ａに対して空気清浄因子の放出面１０Ａとは反対側に突出する部分を覆う。カバー１０Ｂは、浴室１００内から吸い込んだ空気に含まれる湿気等からイオン発生器１０を保護する。また、カバー１０Ｂは、空気の流れる方向に対して上流側の面が、風路切替ダンパ６Ａに対して傾斜しており、この傾斜が空気の流れを上流側から下流側に流れるように誘導する。
【００３７】
浴室換気乾燥暖房機１Ａでは、風路切替ダンパ６Ａの位置を、循環位置とすると、風路切替ダンパ６Ａの一方の端部となる主風路切替部６１Ａの先端が、循環換気ファンケース２７Ａの上側の内面に接する。風路切替ダンパ６Ａの他方の端部となる副風路切替部６２Ａの先端が、分岐部５２Ａと接する。更に、逆流防止部６３Ａは、換気吹出口２３Ａに対して第２の吹出口２２Ａを塞ぐ。これにより、第１の吹出口２１Ａが開き、第２の吹出口２２Ａと換気吹出口２３Ａが閉じられて、循環換気吸込口２０Ａから第１の吹出口２１Ａへ連通する循環風路が形成される。
【００３８】
また、イオン発生器１０の空気清浄因子の放出面１０Ａは、吹出風路２８Ａ及び第１の吹出口２１Ａに対向し、カバー１０Ｂが換気吹出口２３Ａに対向する。
【００３９】
風路切替ダンパ６Ａの位置が循環位置となると、主風路切替部６１Ａの先端付近は、循環換気ファンケース２７Ａの内面に沿うような向きとなる。これにより、風路切替ダンパ６Ａが循環位置から若干開く状態となっても、空気が通りにくく、気密性が保たれる。
【００４０】
なお、風路切替ダンパ６Ａと循環換気ファンケース２７Ａあるいは分岐部５２Ａが接するとは、密着した状態のみならず、一定量の空気が通り得るような一定の気密性が保たれる状態であればよい。
【００４１】
風路切替ダンパ６Ａの位置を循環位置とした状態で、このように、主風路切替部６１Ａの端部と循環換気ファンケース２７Ａとの間、及び、副風路切替部６２Ａと循環換気ファンケース２７Ａとの間に所定の隙間を設けることで、風路切替ダンパ６Ａと循環換気ファンケース２７Ａとが空気中に含まれる水蒸気や入浴剤等に含まれる成分等により固着することが抑制される。
【００４２】
浴室換気乾燥暖房機１Ａでは、風路切替ダンパ６Ａの位置を、循環位置から軸６０Ａを支点に回転させて循環換気位置とすると、軸６０Ａより上流側の主風路切替部６１Ａが下方向へ移動し、風路切替ダンパ６Ａの一端が吹出風路２８Ａの中間付近に位置する。軸６０Ａより下流側の副風路切替部６２Ａが、分岐部５２Ａから離れる上方向に移動する。これにより、第１の吹出口２１Ａ及び第２の吹出口２２Ａと、換気吹出口２３Ａの双方が開き、第１の吹出口２１Ａと第２の吹出口２２Ａとに連通する循環風路と、循環換気吸込口２０Ａから換気吹出口２３Ａへ連通する換気風路の双方が形成される。
【００４３】
また、イオン発生器１０の空気清浄因子の放出面１０Ａは、吹出風路２８Ａ、第１の吹出口２１Ａ及び第２の吹出口２２Ａに対向し、風路切替ダンパ６Ａに対して放出面１０Ａの反対側に設けられたカバー１０Ｂが、換気吹出口２３Ａに対向する。
【００４４】
浴室換気乾燥暖房機１Ａでは、風路切替ダンパ６Ａの位置を、循環換気位置から軸６０Ａを支点に回転させて換気位置とすると、軸６０Ａより上流側の主風路切替部６１Ａが下方向へ移動し、風路切替ダンパ６Ａの一端が循環換気ファンケース２７Ａの下側の内面に接する。また、軸６０Ａより下流側の副風路切替部６２Ａが上方向へ移動し、風路切替ダンパ６Ａの他端が換気吹出口２３Ａの下側で循環換気ファンケース２７Ａの内面に接する。これにより、換気吹出口２３Ａが開き、第１の吹出口２１Ａ及び第２の吹出口２２Ａが閉じられて換気風路が形成される。イオン発生器１０の空気清浄因子の放出面１０Ａは、第１の吹出口２１Ａ及び第２の吹出口２２Ａに対向し、カバー１０Ｂが吹出風路２８Ａに対向する。
【００４５】
風路切替ダンパ６Ａの位置を換気位置とした状態でも、主風路切替部６１Ａの端部と循環換気ファンケース２７Ａとの間、及び、副風路切替部６２Ａと循環換気ファンケース２７Ａとの間に、一定の気密性が保たれる所定の隙間を設けることで、風路切替ダンパ６Ａと循環換気ファンケース２７Ａとが空気中に含まれる水蒸気や入浴剤等に含まれる成分等により固着することが抑制される。
【００４６】
ヒータ５は加熱手段の一例で、本例ではＰＴＣヒータで構成され、第１の吹出口２１Ａから吹き出された空気が通る加熱空気吹出風路に設けられる。ヒータ５が駆動されて通電されると、ヒータ５が加熱されることで第１の吹出口２１Ａを通る空気が加熱され、第１の吹出口２１Ａから温風が吹き出される。
【００４７】
第１の吹出口２１Ａと第２の吹出口２２Ａは、仕切り部材５１Ａにより仕切られており、第２の吹出口２２Ａから吹き出される空気は、ヒータ５を通過しない。なお、本例では、加熱手段として電気により駆動されるヒータ５を例に説明したが、温水による熱交換器等のヒータでもよい。
【００４８】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００４９】
本体シャーシ３０Ａは、金属ケース３１Ａから露出した下面に下カバー３３Ａが取り付けられる。循環換気ファン２Ａは、循環換気吸込口２０Ａと、第１の吹出口２１Ａ及び第２の吹出口２２Ａが下カバー３３Ａに設けられ、下カバー３３Ａに風路形成枠体５０Ａが取り付けられる。
【００５０】
金属ケース３１Ａは、循環換気ファン２Ａの換気吹出口２３Ａに対向して開口が設けられ、換気吹出口２３Ａと連通する排気ダクトジョイント３４Ａが側面に取り付けられる。
【００５１】
浴室換気乾燥暖房機１Ａは、本体部３Ａの下面にフロントパネル４Ａが取り付けられる。フロントパネル４Ａは、循環換気ファン２Ａの循環換気吸込口２０Ａに対向した下面を開口して吸込口グリル４０Ａが形成される。
【００５２】
また、フロントパネル４Ａは、循環換気ファン２Ａの第１の吹出口２１Ａに対向した下面を開口して第１の吹出口グリル４１Ａが形成されると共に、第２の吹出口２２Ａに対向した下面を開口して第２の吹出口グリル４２Ａが形成される。
【００５３】
第１の吹出口グリル４１Ａは、本体部３Ａの一の辺に沿った方向である短手方向に沿った長さを長くした長方形の開口で構成される。また、第２の吹出口グリル４２Ａは、第１の吹出口グリル４１Ａと同様に、本体部３Ａの一の辺に沿った方向である短手方向に沿った長さを長くした長方形の開口で構成される。
【００５４】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように、整流板４３Ａが設けられる。
【００５５】
図５は、本形態の浴室換気乾燥暖房機の制御機能の一例を示すブロック図である。浴室換気乾燥暖房機１Ａは、ＣＰＵやメモリ等で構成される制御部８１Ａに、図１等で説明したイオン発生器１０と、循環換気ファンモータ２６Ａと、風路切替ダンパ６Ａを駆動するダンパモータ６４Ａと、ヒータ５と、利用者が操作する操作部８２等が接続される。操作部８２は操作手段の一例で、例えば浴室換気乾燥暖房機１Ａの本体と独立したリモートコントロール装置で、浴室１００に隣接する洗面脱衣所の壁面等に取り付けられる。なお、図示しないが、浴室換気乾燥暖房機１Ａが温度センサを備え、制御部８１Ａが温度センサで検出された温度情報に応じて各部を制御してもよい。また、図示しないが、浴室換気乾燥暖房機１Ａが第１の吹出口２１Ａと第２の吹出口２２Ａの少なくともいずれか一方から吹き出される空気の吹き出し方向を変えるルーバを備え、制御部８１Ａがルーバを制御することで、第１の吹出口２１Ａと第２の吹出口２２Ａの少なくともいずれか一方から吹き出される空気の吹き出し方向を制御してもよい。
【００５６】
制御部８１Ａは、図示しないメモリ等に格納されたプログラムよって各種運転モードを実行する。各種運転モードについては詳述しないが、制御部８１Ａに接続された各部が制御されて動作する。
【００５７】
これらの運転モードは、利用者が操作部８２を操作すること等により選択される。制御部８１Ａは、選択された運転モードを実行するプログラムに基づき、循環換気ファンモータ２６Ａを駆動して、循環換気ファン２Ａのファン回転数を制御する。また、ヒータ５を駆動してヒータ５の出力を制御する。更に、ダンパモータ６４Ａを制御して風路切替ダンパ６Ａの開度を制御する。また、イオン発生器１０を駆動して、空気清浄因子の発生の有無や、空気清浄因子の発生量を制御する。
【００５８】
浴室換気乾燥暖房機１Ａでは、循環換気ファン２Ａのファン回転数を制御することで、第１の吹出口２１Ａと第２の吹出口２２Ａから吹き出される空気の風量が制御される。また、ヒータ５の出力を制御することで、第１の吹出口２１Ａから吹き出される空気の温度が制御される。更に、風路切替ダンパ６Ａの開度を制御することで、空気が吹き出される風路、各風路における風量が制御される。
【００５９】
＜本実施の形態の浴室換気乾燥暖房機の設置例＞
次に、各図を参照して、本実施の形態の浴室換気乾燥暖房機１Ａの設置例について説明する。
【００６０】
浴室換気乾燥暖房機１Ａは、図４に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで天井裏に設けられた補強部材に固定される形態で、天井パネル１０１に取り付けられる。
【００６１】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａが、浴室１００内に面して配置される。
【００６２】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６３】
浴室１００は、浴槽１０３と洗い場１０４を備える。浴槽１０３は一般的に長方形であり、浴槽１０３と洗い場１０４は、浴槽１０３の短手方向に沿って並んでいる。
【００６４】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６５】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであってもよい。
【００６６】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００６７】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００６８】
＜本実施の形態の浴室換気乾燥暖房機の動作例＞
図６〜図８は、本実施の形態の浴室換気乾燥暖房機における風路切替ダンパの動作を示す説明図、図９は、本実施の形態の浴室換気乾燥暖房機における浴室内の空気の流れを示す説明図で、次に、各図を参照して、本実施の形態の浴室換気乾燥暖房機１Ａの動作例について説明する。以下では、利用者が図５に示した操作部８２により選択した各種運転モードに応じて、制御部８１Ａが各部を動作させることを前提とする。
【００６９】
図６に示すように、風路切替ダンパ６Ａを循環位置に位置させると、ヒータ５に通電すると共に、循環換気ファンモータ２６Ａを駆動して羽根車２５Ａを回転させる。羽根車２５Ａが回転することで、フロントパネル４Ａの吸込口グリル４０Ａから、浴室１００内の空気が循環換気吸込口２０Ａに吸い込まれる。
【００７０】
風路切替ダンパ６Ａが循環位置にあるので、吹出風路２８Ａでは、循環換気吸込口２０Ａから第１の吹出口２１Ａへ連通する循環風路が形成される。循環換気吸込口２０Ａから吸い込まれた浴室１００の空気の略全量が、第１の吹出口２１Ａへと流れる。第１の吹出口２１Ａに流れる空気は、ヒータ５によって加熱されることで、フロントパネル４Ａの第１の吹出口グリル４１Ａから温風が吹き出される。
【００７１】
風路切替ダンパ６Ａの位置が循環位置にある場合、イオン発生器１０が放出する空気清浄因子は、循環換気吸込口２０Ａから吸い込まれて吹出風路２８Ａを通る空気に触れる。そのため、吹出風路２８Ａを通る空気は、空気清浄因子を含んだ状態で、第１の吹出口２１Ａから吹き出されるようになる。すなわち、イオン発生器１０は、第１の吹出口２１Ａから浴室１００内に吹き出される空気を清浄することができる。
【００７２】
風路切替ダンパ６Ａが循環位置にある場合、浴室１００内の空気は換気されない。このとき、換気吹出口２３Ａが風路切替ダンパ６Ａにより塞がれるので、空気清浄因子を含んだ空気が浴室１００の外に排出されることはない。そのため、浴室換気乾燥暖房機１Ａは、イオン発生器１０が発生した空気清浄因子の濃度を減らすことなく浴室１００内に吹き出すことができる。
【００７３】
また、風路切替ダンパ６Ａが循環位置にあるとき、第２の吹出口２２Ａが逆流防止部６３Ａで塞がれるので、ヒータ５を通らずに暖められていない空気が吹き出されたり、外気が浴室１００内に逆流したりすることを防ぐことができる。
【００７４】
図７に示すように、風路切替ダンパ６Ａを循環換気位置に位置させると、ヒータ５に通電すると共に循環換気ファンモータ２６Ａを駆動して羽根車２５Ａを回転させる。羽根車２５Ａが回転すると、フロントパネル４Ａの吸込口グリル４０Ａから、浴室１００内の空気が循環換気吸込口２０Ａに吸い込まれる。
【００７５】
風路切替ダンパ６Ａが循環換気位置にあるので、吹出風路２８Ａでは、循環換気吸込口２０Ａから第１の吹出口２１Ａ及び第２の吹出口２２Ａへ連通する循環風路と、循環換気吸込口２０Ａから換気吹出口２３Ａへ連通する換気風路の双方が形成される。これにより、羽根車２５Ａが回転することで循環換気吸込口２０Ａから吸い込まれた浴室１００の空気は、第１の吹出口２１Ａ及び第２の吹出口２２Ａに向かう方向と、換気吹出口２３Ａに向かう方向とに分流される。
【００７６】
分流された空気の一部は、空気清浄因子を含んだ状態で第１の吹出口２１Ａ及び第２の吹出口２２Ａへと流れる。第１の吹出口２１Ａに流れる空気は、ヒータ５によって加熱されることで、図９（ａ）に示すように、フロントパネル４Ａの第１の吹出口グリル４１Ａから温風ＨＡとして吹き出される。第２の吹出口２２Ａに流れる空気は、ヒータ５を通らないので、フロントパネル４Ａの第２の吹出口グリル４２Ａから、室温に応じた空気Ａとして吹き出される。
【００７７】
また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００７８】
イオン発生器１０は、循環風路に空気清浄因子の放出面１０Ａが露出するため、イオン発生器１０が放出する空気清浄因子は、吹出風路２８Ａを通って第１の吹出口２１Ａへ流れる空気及び第２の吹出口２２Ａへ流れる空気に触れる。そのため、吹出風路２８Ａを通る空気が空気清浄因子を含んだ状態で、第１の吹出口２１Ａ及び第２の吹出口２２Ａから吹き出されるようになる。すなわち、イオン発生器１０は、第１の吹出口２１Ａ及び第２の吹出口２２Ａから浴室１００内に吹き出される空気を清浄することができる。
【００７９】
一方、循環換気吸込口２０Ａから換気吹出口２３Ａへ連通する換気風路には、風路切替ダンパ６Ａに対して放出面１０Ａの反対側に設けられたカバー１０Ｂが対向するため、イオン発生器１０が放出する空気清浄因子は、羽根車２５Ａの接線方向に吹き出した後に換気吹出口２３Ａから排出される空気には触れない。そのため、空気清浄因子を含んだ空気が、換気吹出口２３Ａから浴室１００の外に排出されることはない。そのため、浴室換気乾燥暖房機１Ａは、イオン発生器１０が発生した空気清浄因子の濃度を減らすことなく浴室１００内に吹き出すことができる。
【００８０】
風路切替ダンパ６Ａが循環換気位置にあるとき、循環換気吸込口２０Ａから吸い込まれた浴室１００の空気の一部は、風路切替ダンパ６Ａの外側に流れて排気されるため、風路切替ダンパ６Ａが循環位置にあるときと比べて浴室１００内に吹き出される空気の量は少なくなる。しかし、イオン発生器１０が風路切替ダンパ６Ａに設けられるため、風路切替ダンパ６Ａを回転させると、イオン発生器１０が空気清浄因子を放出する角度も、第１の吹出口２１Ａに向かう方向から、第１の吹出口２１Ａ及び第２の吹出口２２Ａに向かう方向に変わる。そのため、循環位置から循環換気位置に風路切替ダンパ６Ａが変位しても、浴室１００内に吹き出される空気清浄因子の量を維持し続けることができる。
【００８１】
風路切替ダンパ６Ａが循環換気位置にあるときの、浴室１００内の空気の流れを図９（ａ）を用いて説明する。第２の吹出口グリル４２Ａから吹き出される空気Ａは、イオン発生器１０が放出する空気清浄因子を含んだ状態であり、整流板４３Ａにより、第１の吹出口グリル４１Ａに対して第２の吹出口グリル４２Ａが設けられる側の浴室１００の壁面１０６ａに向けられる。
【００８２】
これにより、第２の吹出口グリル４２Ａから吹き出される空気Ａは、浴室１００の一方の壁面１０６ａにあてられ、矢印Ａ２に示すように壁面１０６ａに沿って下方に流れる。壁面１０６ａに沿って下方に流れる空気は、矢印Ａ３に示すように、浴室１００の下層付近を、主に他方の壁面１０６ｂに向かって流れる。
【００８３】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ４に示すように壁面１０６ｂに沿って上方に流れ、吸込口グリル４０Ａから吸い込まれる。
【００８４】
このように、浴室換気乾燥暖房機１Ａでは、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れが発生する。
【００８５】
浴室換気乾燥暖房機１Ａの第１の吹出口グリル４１Ａから吹き出される空気は、ヒータ５で加熱された温風ＨＡで、相対湿度が下げられているので、第２の吹出口グリル４２Ａから吹き出される空気に比べ軽い。
【００８６】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れが生じる。これにより、浴室１００内の全体に空気清浄因子を含んだ空気を循環させることができるため、浴室１００内全体の空気を清浄することができる。
【００８７】
風路切替ダンパ６Ａが循環換気位置にあるとき、循環換気ファン２Ａの駆動開始と共にヒータ５を駆動して、運転当初より温風ＨＡを吹き出す例を説明したが、これに限られない。例えば、風路切替ダンパ６Ａを循環換気位置にして、ヒータ５を非駆動としたまま循環換気ファン２Ａを駆動させてもよいし、運転当初はヒータ５を非駆動として室温に応じた送風を吹き出し、所定の時間経過後、ヒータ５を駆動して温風を吹き出すようにしてもよい。ヒータ５の駆動を停止させたり遅延させたりした場合、浴室換気乾燥暖房機１Ａの駆動に要するエネルギーを低減させることができる。
【００８８】
この場合、浴室換気乾燥暖房機１Ａでは、図９（ｂ）に示すように、第１の吹出口グリル４１Ａから加熱されていない空気ＣＡが吹き出される。第２の吹出口グリル４２Ａから吹き出される空気Ａは、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。これにより、空気ＣＡ及び空気Ａが浴室１００内を循環するようになるため、浴室１００内の全体に、空気を攪拌する風の流れを生じさせることができ、浴室１００内で、第１の吹出口グリル４１Ａから吹き出される空気ＣＡが直接は当たりにくいような場所でも、空気の流れを生じさせることができる。
【００８９】
図８に示すように、風路切替ダンパ６Ａを換気位置に位置させると、ヒータ５を非駆動として、循環換気ファンモータ２６Ａを駆動して羽根車２５Ａを回転させる。羽根車２５Ａが回転することで、フロントパネル４Ａの吸込口グリル４０Ａから、浴室１００内の空気が循環換気吸込口２０Ａに吸い込まれる。
【００９０】
風路切替ダンパ６Ａが換気位置にあるので、第１の吹出口２１Ａと第２の吹出口２２Ａが塞がれ、循環換気吸込口２０Ａから吸い込まれた浴室１００の空気の略全量が換気吹出口２３Ａへと流れ、屋外へ排気される。
【００９１】
風路切替ダンパ６Ａの位置を換気位置とすると、イオン発生器１０が放出する空気清浄因子は、吹出風路２８Ａを通る空気には触れないため、換気吹出口２３Ａからは、空気清浄因子を含まない空気が排出される。そのため、風路切替ダンパ６Ａが換気位置にある場合、イオン発生器１０の消耗を抑えるために、イオン発生器１０による空気清浄因子の放出を停止させておくことが好ましい。また、風路切替ダンパ６Ａが循環位置や循環換気位置にあるときであっても、必要に応じてイオン発生器１０を停止させ、イオン発生器１０の消耗を抑えてもよい。
【００９２】
上述した通り、本実施の形態の浴室換気乾燥暖房機１Ａでは、風路切替ダンパ６Ａを循環位置または循環換気位置とすることで形成される循環風路に、イオン発生器１０の空気清浄因子の放出面１０Ａが露出する構成とした。そのため、循環換気ファン２Ａで浴室１００内から吸い込んだ空気が、空気清浄因子を含んだ状態で第１の吹出口２１Ａまたは第２の吹出口２２Ａから浴室１００内に吹き出されるようになる。また、放出面１０Ａが、風路切替ダンパ６Ａに対して換気吹出口２３Ａとは反対側に向くため、空気清浄因子を含んだ空気は、換気吹出口２３Ａから排出されることなく、浴室１００内を循環するようになる。従って、イオン発生器１０が放出した空気清浄因子の量を低減させることなく浴室１００内に吹き出せるので、風路切替ダンパ６Ａを動かして風路を切り替えても、循環換気ファン２Ａで浴室１００内に吹き出される空気の清浄効果を維持し続けることができる。
【００９３】
また、風路切替ダンパ６Ａを換気位置としたとき、イオン発生器１０は換気風路には露出しない。よって、風路切替ダンパ６Ａを循環位置、循環換気位置及び換気位置に動かしても、空気清浄因子を含んだ空気は、換気吹出口２３Ａから排出されない。
【００９４】
また、吹出風路２８Ａを通る空気は、風路切替ダンパ６Ａの内側の面に沿って第１の吹出口２１Ａや第２の吹出口２２Ａに向かって流れるが、風路切替ダンパ６Ａの内側の面に近いほど空気の流れる速度が速くなる。風路切替ダンパ６Ａにイオン発生器１０を設けたことにより、空気清浄因子の放出面１０Ａに触れる空気の流速が速い位置に放出面１０Ａが位置することとなり、イオン発生器１０が放出する空気清浄因子の濃度が高い状態で第１の吹出口２１Ａや第２の吹出口２２Ａから吹き出すことができる。
【００９５】
本実施の形態では、風路切替ダンパ６Ａを循環位置、循環換気位置及び換気位置とする例を挙げたがこれに限られない。循環換気位置から、屋外へ排気される風量である換気風量が多くなるように、風路切替ダンパ６Ａの開度を換気吹出口２３Ａの開度が広くなる位置に変更しても、イオン発生器１０の空気清浄因子の放出面１０Ａは第１の吹出口２１Ａと第２の吹出口２２Ａに向かう循環風路に対向した状態となる。そのため、循環換気ファン２Ａで浴室１００内から吸い込んだ空気が、空気清浄因子を含んだ状態で第１の吹出口２１Ａと第２の吹出口２２Ａから浴室１００内に吹き出される。
【００９６】
本実施の形態では、風路切替ダンパ６Ａは、空気の流れる方向に対して分岐部５２Ａより上流側に、分岐部５２Ａから所定の距離を開けて軸６０Ａが設けられ、軸６０Ａより上流側に主風路切替部６１Ａが設けられ、下流側に副風路切替部６２Ａが設けられる。
【００９７】
これにより、軸６０Ａを支点とした風路切替ダンパ６Ａの回転動作で、第１の吹出口２１Ａを開いて第２の吹出口２２Ａと換気吹出口２３Ａを閉じる状態、第１の吹出口２１Ａと第２の吹出口２２Ａと換気吹出口２３Ａを開く状態、及び第１の吹出口２１Ａと第２の吹出口２２Ａを閉じて換気吹出口２３Ａを開く状態を切り換えることができる。
【００９８】
風路切替ダンパ６Ａは上述した形状に限られない。例えば、主風路切替部６１Ａと副風路切替部６２Ａは、一体ではない複数の部品を組み合わせることで各部品が一体となり一体的に動く構成でもよい。また、軸６０Ａは、分岐部５２Ａより、空気の流れる方向に対して上流側に、分岐部５２Ａから所定の距離を開けて設けられる構成としたが、分岐部５２Ａに接する位置に設けられたり、風路切替ダンパ６Ａの空気の流れる方向に対する上流端に設けられたりしてもよい。
【００９９】
本実施の形態では、風路切替ダンパ６Ａにイオン発生器１０を覆うカバー１０Ｂを設けたが、カバー１０Ｂは省略してもよい。本実施の形態でカバー１０Ｂを設けたことにより、湿気等からイオン発生器１０を保護することができる。また、カバー１０Ｂに設けた傾斜は省略してもよいが、本実施の形態では、カバー１０Ｂを、空気の流れる方向に対して上流側の面が風路切替ダンパ６Ａに対して傾斜する構成としたため、この傾斜が空気の流れを上流側から下流側に流れるように誘導することができる。そのため、循環換気吸込口２０Ａから換気吹出口２３Ａへ連通する換気風路で、イオン発生器１０が風路切替ダンパ６Ａの外側の面から突出していても、風路切替ダンパ６Ａの外側の面に沿って流れる空気の通気抵抗を低減することができる。
【０１００】
換気風路での通気抵抗が低減されることにより、循環換気ファン２Ａで循環換気ファンモータ２６Ａの回転数を増加させることなく、所定の換気風量を確保できる。これにより、循環換気ファンモータ２６Ａの回転数を増加させることによる音の増加及び消費電力の増加を防ぐことができる。
【０１０１】
イオン発生器１０が発生する空気清浄因子が、熱により減少する場合、空気清浄因子の発生時にはヒータ５の駆動を停止あるいは出力を低下させ、空気清浄因子の減少を抑制し、かつ、空気清浄因子の発生の有無の切り替えと連動してヒータ５を駆動することが好ましい。
【０１０２】
本発明の送風装置としては、ヒータを備えていない構成でもよい。また、換気吹出口の向きを、循環換気ファンケース２７Ａによる空気の吹出方向に沿った方向の側部ではなく、空気の吹出方向に略直交する方向の側部に備える構成としてもよい。室内へ空気を吹き出す吹出口は２つに限られず、第１の吹出口と第２の吹出口のいずれか一方を備える構成でもよいし、３つ以上の吹出口を備えてもよい。更に、循環換気ファンを備えた装置と、室内へ空気を吹き出す各吹出口を備えた装置をダクトを介して接続する構成、室内からの吸込口を備えた装置をダクトを介して接続する構成としてもよい。
【０１０３】
＜本実施の形態の風路切替ダンパの変形例＞
図１０は、本実施の形態の風路切替ダンパの変形例を示す構成図である。風路切替ダンパ６Ｂは、上述した風路切替ダンパ６Ａから、イオン発生器１０とカバー１０Ｂの配置を空気の流れに対する下流側に変えたものである。この図では、浴室換気乾燥暖房機１Ａにおいて、風路切替ダンパ６Ｂを図７に示した風路切替ダンパ６Ａと同じく、循環換気位置としたときの構成を示している。図示しないが、風路切替ダンパ６Ｂも風路切替ダンパ６Ａと同じく、軸６０Ａを支点として回転させることにより、循環位置、換気位置にも変位することができる。以下で、風路切替ダンパ６Ａで使用したものと同じ部材には同じ符号を付けて説明する。
【０１０４】
風路切替ダンパ６Ｂは、回転動作の支点となる軸６０Ａと、軸６０Ａから上流側に延在し、浴室換気乾燥暖房機１Ａの第１の吹出口２１Ａと換気吹出口２３Ａとの間で風路を切り替えると共に、換気吹出口２３Ａの開度を切り替える主風路切替部６１Ａを備える。
【０１０５】
また、風路切替ダンパ６Ｂは、軸６０Ａから下流側に延在し、第２の吹出口２２Ａを開閉する副風路切替部６２Ａと、副風路切替部６２Ａの先端側に、軸６０Ａを支点とした回転動作の方向に沿って延在し、換気吹出口２３Ａに対して第２の吹出口２２Ａを塞ぐ逆流防止部６３Ａを設ける。
【０１０６】
風路切替ダンパ６Ｂは、イオン発生器１０を空気の流れに対して軸６０Ａよりも下流側に備える。この変形例においても、イオン発生器１０は、風路切替ダンパ６Ｂを図６に風路切替ダンパ６Ａで示した循環位置または図７に風路切替ダンパ６Ａで示した循環換気位置とすることで、形成されるそれぞれの循環風路に空気清浄因子の放出面１０Ａが露出する。
【０１０７】
風路切替ダンパ６Ｂには、イオン発生器１０を覆う整流部材としてのカバー１０Ｃが設けられる。カバー１０Ｃは、風路切替ダンパ６Ｂに対して空気清浄因子の放出面１０Ａとは反対側に突出する部分を覆う。この変形例において、カバー１０Ｃは、空気の流れる方向に対して上流側の端部が副風路切替部６２Ａに取り付けられ、下流側の端部が逆流防止部６３Ａの先端に取り付けられる。
【０１０８】
カバー１０Ｃは、空気の流れる方向に対して上流側の面が、風路を上流側から下流側に向けて狭くするように傾斜している。この傾斜が空気を上流側から下流側に流れるように誘導し、風路での通気抵抗を低減する。
【０１０９】
上述の通り、この変形例でも、風路切替ダンパ６Ｂを循環位置または循環換気位置とすることで形成される循環風路に、イオン発生器１０の空気清浄因子の放出面１０Ａが露出する。そのため、浴室１００内から吸い込んだ空気が、空気清浄因子を含んだ状態で第１の吹出口２１Ａまたは第２の吹出口２２Ａから浴室１００内に吹き出される。また、放出面１０Ａが、風路切替ダンパ６Ｂに対して換気吹出口２３Ａとは反対側に向くため、空気清浄因子を含んだ空気は、換気吹出口２３Ａから排出されることなく、浴室１００内を循環する。従って、イオン発生器１０が放出した空気清浄因子の量を低減させることなく浴室１００内に吹き出せるので、風路切替ダンパ６Ｂを動かして風路を切り替えても、循環換気ファン２Ａで浴室１００内に吹き出される空気の清浄効果を維持し続けることができる。
【０１１０】
カバー１０Ｃはカバー１０Ｂと比べて、風路切替ダンパ６Ｂの空気の送風方向に対して下流側に設けられるため、吹出風路２８Ａから換気吹出口２３Ａへと連通する換気風路における風路切替ダンパ６Ｂからの突出量が少なくなり、換気吹出口２３Ａと連通する換気風路での通気抵抗を低減することができる。
【産業上の利用可能性】
【０１１１】
本発明は、浴室等の空間に設置され、イオン発生器等の空気清浄因子発生器を備えた送風装置に適用される。
【符号の説明】
【０１１２】
１Ａ・・・浴室換気乾燥暖房機（送風装置）、１０・・・イオン発生器（空気清浄因子発生器）、１０Ａ・・・放出面、１０Ｂ、１０Ｃ・・・カバー（整流部材）、２Ａ・・・循環換気ファン、２０Ａ・・・循環換気吸込口、２１Ａ・・・第１の吹出口、２２Ａ・・・第２の吹出口、２３Ａ・・・換気吹出口、６Ａ、６Ｂ・・・風路切替ダンパ（可動部材）、２５Ａ・・・羽根車（送風手段）、２６Ａ・・・循環換気ファンモータ、２７Ａ・・・循環換気ファンケース、２８Ａ・・・吹出風路、３Ａ・・・本体部、３０Ａ・・・本体シャーシ、３１Ａ・・・金属ケース、３２Ａ・・・フランジ部、３３Ａ・・・下カバー、３４Ａ・・・排気ダクトジョイント、４Ａ・・・フロントパネル、４０Ａ・・・吸込口グリル、４１Ａ・・・第１の吹出口グリル、４２Ａ・・・第２の吹出口グリル、５・・・ヒータ、５０Ａ・・・風路形成枠体、５１Ａ・・・仕切り部材、１００・・・浴室、１０１・・・天井パネル、１０２・・・排気ダクト、１０２ａ・・・屋外グリル、１０３・・・浴槽、１０４・・・洗い場、１０５・・・ランドリパイプ、１０６ａ，１０６ｂ・・・壁面
【図１】
2018173253.tif 000003
【図２】
2018173253.tif 000004
【図３】
2018173253.tif 000005
【図４】
2018173253.tif 000006
【図５】
2018173253.tif 000007
【図６】
2018173253.tif 000008
【図７】
2018173253.tif 000009
【図８】
2018173253.tif 000010
【図９】
2018173253.tif 000011
【図１０】
2018173253.tif 000012